(57)【要約】      （修正有）【課題】所期の安定姿勢をとり得ると共に、キール部と止着部を一体の金属板で形成することにより、釣り人が着底を感じ易くしたルアーを提供する。【解決手段】鋳造または焼結により形成された本体部１と、本体部１の表面を覆う樹脂の塗膜と、本体部１とは別の金属板３で互いに一体に形成され、釣り糸が止着される第１止着部３１、釣り針が止着される第２止着部３２および本体部１の左右の中心において下方に突出するキール部３３とを備える。【選択図】図３
0003175518.tif 000002
【実用新案登録請求の範囲】
【請求項１】
鋳造または焼結により形成された本体部と、
前記本体部の表面を覆う樹脂の塗膜と、
前記本体部とは別の金属板で互いに一体に形成され、釣り糸が止着される第１止着部、釣り針が止着される第２止着部および前記本体部の左右の中心において下方に突出するキール部とを備えたルアー。
【請求項２】
前記本体部は側面から見た形状が円形状で、前記キール部の反対側の上方の上端部に前記第１止着部が配置され、前記キール部よりも後方の後端部に前記第２止着部が配置されていることを特徴とする請求項１に記載のルアー。
【請求項３】
前記キール部が三日月形に形成されていることを特徴とする請求項２に記載のルアー。
【請求項４】
前記本体部は側面から見た形状が前後に長い魚形で、前記キール部よりも前方の前端部に前記第１止着部が配置され、前記キール部よりも後方の後端部に前記第２止着部が配置されていることを特徴とする請求項１に記載のルアー。
【考案の詳細な説明】
【技術分野】
【０００１】
本考案は、鯛ラバやメタルジグと呼ばれるルアーに関する。
【背景技術】
【０００２】
ルアーは着底後、所期の安定した姿勢をとると、釣れる確率が高くなる。
【先行技術文献】
【特許文献】
【０００３】
【特許文献１】Ｕ３１４０４８５（要約）
【考案の概要】
【０００４】
前記特許文献１のルアーは鉛等の錘にステンレススチールの硬質金属板を設けて、ルアーが所期のアクションで動作するのを狙っている。
【０００５】
しかし、前記従来のルアーは、ルアー本体の下部にピンを介して小さな錘が取り付けられ、更に、前記錘の下端から前記金属板が突出している。そのため、ルアーが着底した際に、釣り人が着底を感じにくい。
【０００６】
したがって、本考案の目的は所期の安定姿勢をとり得ると共に、釣り人が着底を感じ易いルアーを提供することである。
【０００７】
前記目的を達成するために、本考案のルアーは、鋳造または焼結により形成された本体部と、
前記本体部の表面を覆う樹脂の塗膜と、
前記本体部とは別の金属板で互いに一体に形成され、釣り糸が止着される第１止着部、釣り針が止着される第２止着部および前記本体部の左右の中心において下方に突出するキール部とを備える。
【０００８】
本考案によれば、キール部が水切りの役割を果たし、そのため、ルアーの泳ぎがブレにくく、安定した姿勢を取り易い。
【０００９】
また、本体部とは別の金属板で第１および第２止着部とキール部とが一体に形成されているので、当該金属板が着底した際に、当該金属板の着底を感じ取り易い。
そのため、着底後に直ちにルアーを引き上げ安定した泳ぎを行わせることで、釣果をアップし得ると共に根掛かりも防止し得る。
また、金属板の部位が着底することにより、本体部の表面を覆う塗膜を傷付けにくい。
【図面の簡単な説明】
【００１０】
【図１】本考案の実施例１を示すルアーの斜視図である。
【図２】同ルアーの背面図および側面図である。
【図３】同ルアーの断面図である。
【図４】同ルアーの平面図および底面図である。
【図５】使用状況を示す概念図である。
【図６】本考案の実施例２を示すルアーの斜視図である。
【図７】同ルアーの側面図である。
【図８】同ルアーの正面図および背面図である。
【図９】同ルアーの平面図および底面図である。
【図１０】使用状況を示す概念図である。
【実施例】
【００１１】
以下、本考案の実施例１のルアーを図面にしたがって説明する。
図１〜図５は実施例１を示す。
【００１２】
図１〜図３に示すように、本ルアーＬはいわゆる鯛ラバであり、本体部１と金属板３とを備える。本実施例の場合、前記本体部１は鉛などの柔軟な金属製で金属板３がインサートされた状態で一体に鋳造されている。前記本体部１の表面は樹脂の塗膜２で覆われている。
【００１３】
図３の前記金属板３は前記本体部１とは別のスチールのような硬い金属で形成され、釣り糸Ｆ（図５）が止着される第１止着部３１、仕掛けや釣り針Ｎ（図５）が止着される第２止着部３２および前記本体部１の左右の中心において下方に突出するキール部３３とを備える。前記第１止着部３１、第２止着部３２およびキール部３３は金属板３により一体に形成されている。
なお、キール部３３の長さは本体部１の長さの１／２以上が好ましい。
【００１４】
本実施例の場合、前記本体部１は側面から見た形状が円形状で、前記キール部３３の反対側の上方の上端部に前記第１止着部３１が突出して配置され、前記キール部３３よりも後方の後端部に前記第２止着部３２が突出して配置されている。前記キール部３３は三日月形に形成されている。
なお、金属板３には本体部１と係合する貫通孔３４が形成されている。
【００１５】
つぎに、前記ルアーＬの使用方法について説明する。
図５の実線で示すように、船Ｓから釣り糸Ｆを垂らした状態で送り出し、ルアーＬが着底すると、直後に釣り糸Ｆの送り出しを停止し、仮想線で示すように、釣り糸Ｆを若干量だけ巻き取る。これにより、着底後にルアーＬが小魚が泳いだような姿勢を取り、それに鯛が喰い付く。
【００１６】
この際、三日月形のキール部３３が着底しキール部３３が第１止着部３１と一体の金属板３で形成されているため、釣り人は着底を感じ取り易い。
【００１７】
図６〜図１０は実施例２を示す。
本実施例２においては先の実施例１と相違する部分について主に説明し、同一又は相違部分には同一符号を付してその詳しい説明を省略する。
【００１８】
図６〜図９において、ルアーの本体部１は例えばタングステン合金が焼結されて形成されてもよい。金属板３は鉄、ステンレス、チタン合金などの金属製の板材からなる。
【００１９】
本実施例の場合、前記本体部１は側面から見た形状が前後に長い魚形で、前記キール部３３よりも前方の前端部に前記第１止着部３１が配置され、前記キール部３３よりも後方の後端部に前記第２止着部３２が配置されている。
【００２０】
なお、本体部１には、図示しない魚の目、鱗模様、色彩等を描き更に、全体を合成樹脂等の被覆層でコーティングしてメタルジグが仕上げられる。
【００２１】
図１０に示すように本実施例の場合、金属板３の一部である第２止着部３２が着底する。そのため、釣り人は実施例１と同様にルアーＬの着底を感じ取り易い。
【産業上の利用可能性】
【００２２】
本考案は金属製のルアーに適応することができる。
【符号の説明】
【００２３】
１：本体部 
２：塗膜
３：金属板
３１：第１止着部
３２：第２止着部
３３：キール部
３４：貫通孔
Ｆ：釣り糸
Ｌ：ルアー
Ｎ：釣り針
Ｓ：船
【図１】
0003175518.tif 000003
【図２】
0003175518.tif 000004
【図３】
0003175518.tif 000005
【図４】
0003175518.tif 000006
【図５】
0003175518.tif 000007
【図６】
0003175518.tif 000008
【図７】
0003175518.tif 000009
【図８】
0003175518.tif 000010
【図９】
0003175518.tif 000011
【図１０】
0003175518.tif 000012